(57)【要約】【課題】多種の機能を実現できる押しボタンスイッチを提供すること。【解決手段】本発明に係る多機能押しボタンスイッチは、回路基板と、前記回路基板に設けられる可動接片及び中央固定接点と、前記回路基板に設けられ且つ前記中央固定接点の外周に順次に設けられる第一外側固定接点及び第二外側固定接点と、を備える。前記可動接片は、中央可動接触部と、外側可動接触部と、定常接触部と、を含む。前記可動接片が前記回路基板に向かって移動すると、前記外側可動接触部が前記第一外側固定接点に接触し且つ前記中央可動接触部と前記中央固定接点とが互いに離間する時に、前記回路基板は第一入力信号を発し、一方、前記外側可動接触部が前記第一外側固定接点に接触し且つ前記中央可動接触部と前記中央固定接点とが互いに接触する時に、前記回路基板は第二入力信号を発する。【選択図】図３
2012028329.tif 000002
【特許請求の範囲】
【請求項１】
回路基板と、前記回路基板に設けられる可動接片及び中央固定接点と、前記回路基板に設けられ且つ前記中央固定接点の外周に順次に設けられる第一外側固定接点及び第二外側固定接点と、を備える多機能押しボタンスイッチであって、
前記可動接片は、前記中央固定接点に対応して設けられる中央可動接触部と、前記第一外側固定接点に対応して設けられる外側可動接触部と、前記第二外側固定接点に対応して設けられる定常接触部と、を含み、
前記可動接片が前記回路基板に向かって移動すると、前記外側可動接触部が前記第一外側固定接点に接触し且つ前記中央可動接触部と前記中央固定接点とが互いに離間する時に、前記回路基板は第一入力信号を発し、一方、前記外側可動接触部が前記第一外側固定接点に接触し且つ前記中央可動接触部と前記中央固定接点とが互いに接触する時に、前記回路基板は、第二入力信号を発することを特徴とする多機能押しボタンスイッチ。
【請求項２】
前記可動接片の中央部には、隆起しているドーム部が形成され、前記中央可動接触部は、前記ドーム部の頂部の内面に突設されることを特徴とする請求項１に記載の多機能押しボタンスイッチ。
【請求項３】
前記外側可動接触部は、前記可動接片の内面における前記ドーム部の底部周縁の対応する箇所に形成され、前記定常接触部は、前記可動接片全体の周縁の内面に設けられることを特徴とする請求項２に記載の多機能押しボタンスイッチ。
【請求項４】
前記中央固定接点は、円盤状を呈し、前記第一外側固定接点及び前記第二外側固定接点は、共にリング状を呈し且つ前記中央固定接点の中心と同じであることを特徴とする請求項１から３のいずれか１項に記載の多機能押しボタンスイッチ。
【請求項５】
回路基板と、前記回路基板に設けられる可動接片及び中央固定接点と、前記回路基板に設けられ且つ前記中央固定接点の外周に順次に設けられる第一外側固定接点及び第二外側固定接点と、を備える多機能押しボタンスイッチであって、
前記可動接片は、前記中央固定接点に対応して設けられる中央可動接触部と、前記第一外側固定接点に対応して設けられる外側可動接触部と、前記第二外側固定接点に対応して設けられる定常接触部と、を含み、
前記可動接片を前記回路基板に向かって移動させる過程において、前記外側可動接触部が前記第一外側固定接点に接触した後、前記可動接片をさらに前記回路基板に向かって押圧すると、前記中央可動接触部が前記中央固定接点に接触することを特徴とする多機能押しボタンスイッチ。
【発明の詳細な説明】
【技術分野】
【０００１】
本発明は、多機能押しボタンスイッチに関し、特に携帯式電子装置に用いられる多機能押しボタンスイッチに関するものである。
【背景技術】
【０００２】
現在、可動接点で入力機能を実現する押しボタンは、一般的にスイッチ（例えば、携帯電話のカメラスイッチ）として使用される。ボタンで前記可動接点を押圧すると、前記可動接点は、回路基板に設けられた固定接点に電気的に接触して、スイッチを導通させる。また、前記ボタンを放すと、前記可動接点は前記固定接点から離れて、スイッチをオフにする。
【０００３】
しかし、上記の可動接点で入力機能を実現する押しボタンは、オン或いはオフの２つの状態のみ備えるため、携帯電話の表示パネルが絶えず拡大すること及び体積が益々小さくなることにつれて、携帯電話の押しボタンは、益々少なくなる。そこで、できるだけ少ない押しボタンで多くの機能を実現することが課題になる。
【発明の概要】
【発明が解決しようとする課題】
【０００４】
本発明は、上記の問題点を考慮してなされたものであり、多種の機能を実現できる押しボタンスイッチを提供することを目的とする。
【課題を解決するための手段】
【０００５】
上記の目的を達成するために、本発明に係る多機能押しボタンスイッチは、回路基板と、前記回路基板に設けられる可動接片及び中央固定接点と、前記回路基板に設けられ且つ前記中央固定接点の外周に順次に設けられる第一外側固定接点及び第二外側固定接点と、を備える。前記可動接片は、前記中央固定接点に対応して設けられる中央可動接触部と、前記第一外側固定接点に対応して設けられる外側可動接触部と、前記第二外側固定接点に対応して設けられる定常接触部と、を含む。前記可動接片が前記回路基板に向かって移動すると、前記外側可動接触部が前記第一外側固定接点に接触し且つ前記中央可動接触部と前記中央固定接点とが互いに離間する時に、前記回路基板は第一入力信号を発し、一方、前記外側可動接触部が前記第一外側固定接点に接触し且つ前記中央可動接触部と前記中央固定接点とが互いに接触する時に、前記回路基板は第二入力信号を発する。
【０００６】
また、上記の目的を達成するために、本発明に係る多機能押しボタンスイッチは、回路基板と、前記回路基板に設けられる可動接片及び中央固定接点と、前記回路基板に設けられ且つ前記中央固定接点の外周に順次に設けられる第一外側固定接点及び第二外側固定接点と、を備える。前記可動接片は、前記中央固定接点に対応して設けられる中央可動接触部と、前記第一外側固定接点に対応して設けられる外側可動接触部と、前記第二外側固定接点に対応して設けられる定常接触部と、を含む。前記可動接片を前記回路基板に向かって移動させる過程において、前記外側可動接触部が前記第一外側固定接点に接触した後、前記可動接片をさらに前記回路基板に向かって押圧すると、前記中央可動接触部が前記中央固定接点に接触する。
【発明の効果】
【０００７】
従来の技術と比較して、本発明の多機能押しボタンスイッチの可動接片には、中央固定接点に対応する中央可動接触部及び第一外側固定接点に対応する外側可動接触部がそれぞれ設けられるので、前記可動接片に異なる押圧力を加えることにより、携帯式電子装置に異なる入力信号を入力することができる。
【図面の簡単な説明】
【０００８】
【図１】本発明の多機能押しボタンスイッチの分解図である。
【図２】図１に示した多機能押しボタンスイッチの組立図である。
【図３】図２に示した多機能押しボタンスイッチのＩＩＩ−ＩＩＩ線に沿う断面図である。
【図４】図２に示した多機能押しボタンスイッチが押圧される時の断面図である。
【図５】図２に示した多機能押しボタンスイッチが押圧される時のもう１つの状態を示す断面図である。
【発明を実施するための形態】
【０００９】
図１及び図２に示したように、本発明の実施形態に係る多機能押しボタンスイッチ１０は、可動接片１１と、固定接点１３と、回路基板１５と、を備える。前記固定接点１３は、前記可動接片１１に対向するように前記回路基板１５に設けられて、前記回路基板１５と電気的に接続される。ボタン（図示せず）を介して前記可動接片１１を押圧すると、前記可動接片１１は、前記固定接点１３に接触して前記回路基板１５と電気的に導通し、前記回路基板１５は、この押圧操作に応じて対応する入力信号を発生する。
【００１０】
図３に示したように、前記可動接片１１は、中央部が半球状に隆起した弾性片であり、外面１１１及び内面１１３と、中央部に形成され且つ底部が開口しているドーム部１１５と、ドーム部１１５の周りを取り囲みドーム部１１５よりも扁平な環状部１１６と、を備える。前記ドーム部１１５の頂部の内面には、中央可動接触部１１５１が突設されている。前記内面１１３における前記ドーム部１１５の底部周縁の対応する箇所には、外側可動接触部１１７が突設されている。前記内面１１３における前記可動接片１１全体の周縁には、定常接触部１１９が設けられている。前記可動接片１１は、ステンレス、銅合金或いは銅等の弾性を有する金属材料からなる。前記ドーム部１１５は、前記可動接片１１と一体に成形される。
【００１１】
前記固定接点１３は、中央固定接点１３１と、前記中央固定接点１３１の周りを取り囲む第一外側固定接点１３３と、前記第一外側固定接点１３３の周りを取り囲む第二外側固定接点１３５と、を備える。前記中央固定接点１３１は、円盤状を呈し、前記第一外側固定接点１３３及び前記第二外側固定接点１３５は、共にリング状を呈し且つ前記中央固定接点１３１を中心とするように前記中央固定接点１３１の外周に順次に設けられる（即ち、三者は同心円である）。前記多機能押しボタンスイッチ１０を一体に組み立てた後、前記中央固定接点１３１及び前記第一外側固定接点１３３は、それぞれ前記中央可動接触部１１５１及び前記外側可動接触部１１７に対応して位置する。前記第二外側固定接点１３５と前記定常接触部１１９とは、互いに接触して電気的に導通する。
【００１２】
図４及び図５に示したように、前記多機能押しボタンスイッチ１０を使用する場合、ボタンに対して図４に示す矢印方向に沿って外力を加えると、前記ドーム部１１５が押圧されて変形し、前記外側可動接触部１１７が連動して下方に向かって移動して前記第一外側固定接点１３３に接触する。この時、前記可動接片１１、前記第一外側固定接点１３３及び前記第二外側固定接点１３５は、互いに電気的に導通される。前記回路基板１５は、第一入力信号を発生して、前記多機能押しボタンスイッチ１０を備える携帯式電子装置（図示せず）に対して対応する操作を行う。前記ボタンに対する外力を除去すると、前記可動接片１１は、弾性復帰して原状になり、前記第一外側固定接点１３３と前記第二外側固定接点１３５とは絶縁状態になる。
【００１３】
さらに前記の状態から図５に示す矢印方向に沿ってボタンを強く押圧すると、前記ドーム部１１５はさらに変形してその頂部が下がり、前記中央可動接触部１１５１は、前記中央固定接点１３１に接触する。この時、前記可動接片１１、前記中央固定接点１３１、前記第一外側固定接点１３３及び前記第二外側固定接点１３５は、電気的に導通する。前記回路基板１５は、第二入力信号を発生して、前記多機能押しボタンスイッチ１０を備える携帯式電子装置（図示せず）に対して対応する操作を行う。前記ボタンに対する外力を除去すると、前記可動接片１１は、その弾性力によって弾性復帰し、前記中央可動接触部１１５１及び前記外側可動接触部１１７は、それぞれ前記中央固定接点１３１及び前記第一外側固定接点１３３から離れる。前記中央固定接点１３１、前記第一外側固定接点１３３及び前記第二外側固定接点１３５は、互いに絶縁する。
【００１４】
本発明によれば、前記多機能押しボタンスイッチ１０の可動接片１１の内面には、前記中央固定接点１３１に対応する中央可動接触部１１５１及び前記第一外側固定接点１３３に対応する外側可動接触部１１７がそれぞれ設けられるので、前記可動接片１１に異なる押圧力を加えることにより、携帯式電子装置に異なる入力信号を入力できる。従って、前記多機能押しボタンスイッチ１０は、多種の機能を有する。
【００１５】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００１６】
１０                  多機能押しボタンスイッチ
１１                  可動接片
１３                  固定接点
１５                  回路基板
１１１                外面
１１３                内面
１１５                ドーム部
１１６                環状部
１１７                外側可動接触部
１１９                定常接触部
１３１                中央固定接点
１３３                第一外側固定接点
１３５                第二外側固定接点
１１５１              中央可動接触部
【図１】
2012028329.tif 000003
【図２】
2012028329.tif 000004
【図３】
2012028329.tif 000005
【図４】
2012028329.tif 000006
【図５】
2012028329.tif 000007